(57)【要約】【課題】光もれがなく、狙った配光を取得できるＬＥＤ照明器具を提供する。【解決手段】ＬＥＤ照明器具１０は、ＬＥＤチップ１２が実装されるＬＥＤ基板１１と、レンズ基板部１４とレンズ基板部１４に形成される複数のレンズ部１５とを有し、複数のレンズ部１５のうちの少なくとも一つがＬＥＤチップ１２に選択的に対応されるように、ＬＥＤ基板１１の前方に配置され、かつ、ＬＥＤ基板１１に対して移動自在なレンズ１３と、ＬＥＤチップ１２を包囲し、端縁部１７がレンズ基板部１４に近接される反射板１６とを備える。【選択図】図１
2012113925.tif 000002
【特許請求の範囲】
【請求項１】
ＬＥＤチップが実装されるＬＥＤ基板と、
レンズ基板部と前記レンズ基板部に形成される複数のレンズ部とを有し、複数の前記レンズ部のうちの少なくとも一つが前記ＬＥＤチップに選択的に対応されるように、前記ＬＥＤ基板の前方に配置され、かつ、前記ＬＥＤ基板に対して移動自在なレンズと、
前記ＬＥＤチップを包囲し、端縁部が前記レンズ基板部に近接される反射板とを備えるＬＥＤ照明器具。
【請求項２】
請求項１に記載のＬＥＤ照明器具において、
前記レンズが前記ＬＥＤ基板に対して回転自在であるＬＥＤ照明器具。
【発明の詳細な説明】
【技術分野】
【０００１】
本発明は、ＬＥＤを光源としたＬＥＤ照明器具に関する。
【背景技術】
【０００２】
従来より、ＬＥＤを配置した基板と、この基板の光源側に配置されて少なくとも２種類以上の配光を制御するレンズとを備えたＬＥＤ照明器具が知られている（例えば、特許文献１参照）。
特許文献１のＬＥＤ照明装置は、レンズを可動とすることにより配光を切替え可能である。
【先行技術文献】
【特許文献】
【０００３】
【特許文献１】特開２００４−１９９８９１号公報（図１、請求項１）
【発明の概要】
【発明が解決しようとする課題】
【０００４】
しかし、特許文献１に記載のＬＥＤ照明器具は、ＬＥＤ基板上のＬＥＤチップとレンズとの間に比較的大きな空間の隙間を有する。
従って、特許文献１に記載のＬＥＤ照明器具は、隙間を介してＬＥＤチップからの光成分に光もれが生じて狙った配光を取得できない。
【０００５】
本発明は、前述した課題を解決するためになされたものであり、その目的は、光もれがなく、狙った配光を取得できるＬＥＤ照明器具を提供することにある。
【課題を解決するための手段】
【０００６】
本発明に係るＬＥＤ照明器具は、  ＬＥＤチップが実装されるＬＥＤ基板と、レンズ基板部と前記レンズ基板部に形成される複数のレンズ部とを有し、複数の前記レンズ部のうちの少なくとも一つが前記ＬＥＤチップに選択的に対応されるように、前記ＬＥＤ基板の前方に配置され、かつ、前記ＬＥＤ基板に対して移動自在なレンズと、前記ＬＥＤチップを包囲し、端縁部が前記レンズ基板部に近接される反射板とを備える。
【０００７】
本発明に係るＬＥＤ照明器具は、前記レンズが前記ＬＥＤ基板に対して回転自在である。
【発明の効果】
【０００８】
本発明に係るＬＥＤ照明器具によれば、光もれがなく、狙った配光を取得できるという効果を奏する。
【図面の簡単な説明】
【０００９】
【図１】本発明に係る第１実施形態のＬＥＤ照明器具の側面図
【図２】本発明に係る第１実施形態のＬＥＤ照明器具の底面図
【図３】本発明に係る第１実施形態のＬＥＤ照明器具のＬＥＤ基板の底面図
【図４】本発明に係る第１実施形態のＬＥＤ照明器具のレンズの移動後の側面図
【図５】本発明に係る第１実施形態のＬＥＤ照明器具のレンズの移動後の底面図
【図６】本発明に係る第２実施形態のＬＥＤ照明器具の側面図
【図７】本発明に係る第２実施形態のＬＥＤ照明器具の底面図
【図８】本発明に係る第２実施形態のＬＥＤ照明器具のＬＥＤ基板の底面図
【図９】本発明に係る第２実施形態のＬＥＤ照明器具のレンズの回動後の側面図
【図１０】本発明に係る第２実施形態のＬＥＤ照明器具のレンズの回動後の底面図
【発明を実施するための形態】
【００１０】
以下、本発明に係る複数の実施形態のＬＥＤ照明器具について図面を参照して説明する。
（第１実施形態）
図１に示すように、本発明に係る第１実施形態のＬＥＤ照明器具１０は、複数のＬＥＤチップ１２が実装されるＬＥＤ基板１１と、レンズ基板部１４とレンズ基板部１４に形成される複数のレンズ部１５とを有し、複数のレンズ部１５のうちの少なくとも一つがＬＥＤチップ１２に選択的に対応されるように、ＬＥＤ基板１１の前方にＬＥＤ基板１１に移動自在に配置されるレンズ１３と、ＬＥＤチップ１２を包囲し、端縁部１７がレンズ基板部１４に近接される複数の反射板１６とを備える。
【００１１】
複数のＬＥＤチップ１２は、単一で四角形に形成されたＬＥＤ基板１１の下面に実装される。複数のＬＥＤチップ１２は、ＬＥＤ基板１１に有する不図示のプリント回路に直流電流が供給されることによりＬＥＤ基板１１の下方へ向けて光を出射する。
【００１２】
図２に示すように、レンズ１３は、透明な樹脂製であって、四角形の板形状に形成されてＬＥＤ基板１１に平行に配置されるレンズ基板部１４を有し、このレンズ基板部１４の下面に半球形状に形成されたレンズ部１５を有する。
レンズ部１５は、レンズ基板部１４において、図２中の横列および縦列に複数個が配列されている。レンズ部１５は、図２中のいちばん左側の列から右側に向けて、予め定められた第１配光特性が設定された第１配光レンズ部１８と第１配光特性とは異なるものとして予め定められた第２配光特性が設定された第２配光レンズ部１９とが順次に等間隔に配列されている。隣り合う第１配光レンズ部１８は間隔寸法Ｌ１を有する。隣り合う第２配光レンズ部１９は隣り合う第１配光レンズ部１８と同一の間隔寸法Ｌ１を有する。
レンズ１３は、不図示の移動機構に連結されており、移動機構が駆動されることにより、隣り合う第１配光レンズ部１８および隣り合う第２配光レンズ部１９の間隔寸法Ｌ１の１／２のストロークで第１位置Ａ１から第２位置Ａ２にＬＥＤ基板１１に対して平行に移動される(図４参照）。
【００１３】
図３に示すように、ＬＥＤチップ１２は、ＬＥＤ基板１１上に、横列および縦列に複数個配列されている。
反射板１６は、ＬＥＤチップ１２のそれぞれを独立して包囲する有底の筒形状に形成されてＬＥＤチップ１２の位置に対応してＬＥＤ基板１１に取り付けられている。
隣り合うＬＥＤチップ１２および隣り合う反射板１６のそれぞれの間隔寸法Ｌ２は、隣り合う第１配光レンズ部１８および隣り合う第２配光レンズ部１９の間隔寸法Ｌ１に一致する。
反射板１６は、底部に配置される端縁部１７がレンズ基板部１４に近接されて配置される。
【００１４】
次に、ＬＥＤ照明装置１０の光学的な特性について説明する。
図１に戻り、レンズ１３が第１位置Ａ１にある際に、ＬＥＤ基板１１に直流電流が供給されることによりＬＥＤチップ１２から光が出射される。このとき、レンズ１３が第１位置Ａ１にあるために、第２配光特性が設定された第２配光レンズ部１９がＬＥＤチップ１２に対応して配置されており、ＬＥＤチップ１２から出射された光が第２配光レンズ部１９により第２配光特性による配光で制御されて出射される。ここで、第１配光レンズ部１８は、ＬＥＤチップ１２に対応していないために、ＬＥＤチップ１２から出射された光は第１配光特性により配光を制御されない。
【００１５】
図４および図５に示すように、移動機構が駆動されることにより、レンズ１３が第１位置Ａ１から第２位置Ａ２にＬＥＤ基板１１に対して平行に移動される。レンズ１３が第２位置Ａ２に到達されることにより、第１配光特性が設定された第１配光レンズ部１８がＬＥＤチップ１２に対応して配置され、ＬＥＤチップ１２から出射された光が第１配光レンズ部１８により第１配光特性による配光で制御されて出射される。ここで、第２配光レンズ部１９は、ＬＥＤチップ１２に対応していないために、ＬＥＤチップ１２から出射された光は第２配光特性により配光を制御されない。
従って、反射板１６がＬＥＤチップ１２を包囲して端縁部１７がレンズ基板部１４に近接されるために、ＬＥＤチップ１２の光成分に光もれを生ずることがなく、ＬＥＤ基板１１に対して平行に移動されたレンズ１３の第１配光レンズ部１８および第２配光レンズ部１９により狙った配光を制御できる。
【００１６】
移動機構が戻り方向に駆動されることにより、レンズ１３が第２位置Ａ２から第１位置Ａ１にＬＥＤ基板１１に対して平行に戻り移動される。レンズ１３が第１位置Ａ１に復帰されるために、第２配光特性が設定された第２配光レンズ部１９がＬＥＤチップ１２に対応して配置され、ＬＥＤチップ１２から出射された光が第２配光レンズ部１９により第２配光特性による配光で制御されて出射される。
【００１７】
以上、説明したように第１実施形態のＬＥＤ照明器具１０によれば、反射板１６がＬＥＤチップ１２を包囲して端縁部１７がレンズ基板部１４に近接されるために、ＬＥＤチップ１２の光成分に光もれを生ずることがなく、ＬＥＤ基板１１に対して平行に移動されたレンズ１３の第１配光レンズ部１８および第２配光レンズ部１９により狙った配光を制御できる。
【００１８】
（第２実施形態）
次に、本発明に係る第２実施形態のＬＥＤ照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００１９】
図６に示すように、本発明に係る第２実施形態のＬＥＤ照明器具２０は、単一で円形に形成されたＬＥＤ基板２１と、円形の板形状に形成されたレンズ基板部２３および半球形状のレンズ部２４を有するレンズ２２とを備える。
【００２０】
図７に示すように、レンズ２２は、レンズ部２４に、予め定められた第１配光特性が設定された第１配光レンズ部２５と第１配光特性とは異なるものとして予め定められた第２配光特性が設定された第２配光レンズ部２６とが円周方向に順次に等間隔に配列されている。隣り合う第１配光レンズ部２５は円周方向の間隔角度θ１を有し、隣り合う第２配光レンズ部２６は隣り合う第１配光レンズ部２５と同一の円周方向の間隔角度θ１を有する。
レンズ２２は、不図示の回動機構により、第１位置Ｂ１から第２位置Ｂ２にＬＥＤ基板２１に対して平行に回動される（図１０参照）。
【００２１】
図８に示すように、ＬＥＤ基板２１の下面に実装された隣り合うＬＥＤチップ１２および隣り合う反射板１６のそれぞれの円周方向の間隔角度θ２は、隣り合う第１配光レンズ部２５および隣り合う第２配光レンズ部２６の円周方向の間隔角度θ１に一致する。
【００２２】
ＬＥＤ照明装置２０は、レンズ２２が第１位置Ｂ１にある際に、ＬＥＤ基板２１に直流電流が供給されることによりＬＥＤチップ１２から光が出射される。このとき、レンズ２２が第１位置Ｂ１にあるために、第２配光特性が設定された第２配光レンズ部２６がＬＥＤチップ１２に対応して配置されており、ＬＥＤチップ１２から出射された光が第２配光レンズ部２６により第２配光特性による配光で制御されて出射される。
【００２３】
図９および図１０に示すように、回動機構が駆動されることにより、レンズ２２が第１位置Ｂ１から第２位置Ｂ２まで、間隔角度θ１および間隔角度θ２の１／２に相当する角度θ３でＬＥＤ基板２１に対して時計回転方向に回動される。レンズ２２が第２位置Ｂ２に到達されることにより、第１配光特性が設定された第１配光レンズ部２５がＬＥＤチップ１２に対応して配置され、ＬＥＤチップ１２から出射された光が第１配光レンズ部２５により第１配光特性による配光で制御されて出射される。
【００２４】
回動機構が戻り方向に駆動されるか、あるいは、レンズ２２が第２位置Ｂ２から角度θ３でＬＥＤ基板２１に対して時計回転方向にさらに回動されることにより、レンズ２２が第１位置Ｂ１と同じ位相に配置されるために、第２配光特性が設定された第２配光レンズ部２６がＬＥＤチップ１２に対応して配置され、ＬＥＤチップ１２から出射された光が第２配光レンズ部２６により第２配光特性による配光で制御されて出射される。
【００２５】
以上、説明したように第２実施形態のＬＥＤ照明器具２０によれば、レンズ２２がＬＥＤ基板２１に対して回動されるために、ＬＥＤチップを直線的に配列してレンズを直線で移動させる場合と比べて、柔らかい可変な配光を制御できる。
【００２６】
なお、本発明のＬＥＤ照明器具は、前述した各実施形態に限定されるものでなく、適宜な変形や改良等が可能である。
【符号の説明】
【００２７】
１０，２０  ＬＥＤ照明器具
１１，２１  ＬＥＤ基板
１２  ＬＥＤチップ
１３，２２  レンズ
１４，２３  レンズ基板部
１５，２４  レンズ部
１６  反射板
１７  端縁部
【図１】
2012113925.tif 000003
【図２】
2012113925.tif 000004
【図３】
2012113925.tif 000005
【図４】
2012113925.tif 000006
【図５】
2012113925.tif 000007
【図６】
2012113925.tif 000008
【図７】
2012113925.tif 000009
【図８】
2012113925.tif 000010
【図９】
2012113925.tif 000011
【図１０】
2012113925.tif 000012